(57)【要約】直交周波数分割多元接続（ＯＦＤＭＡ）方式を使用する無線通信システムにおける初期動作モードを検出するための方法であって、基地局（ＢＳ）から特定のパターンを有する基準信号を受信し、受信された基準信号に従って初期動作モードを検出する。
2008503979.tif 000002
【特許請求の範囲】
【請求項１】
直交周波数分割多元接続方式を使用する無線通信システムにおける初期動作モードを検出するための方法であって、
基地局から特定のパターンを有する基準信号を受信するステップと、
前記受信された基準信号に従って初期動作モードを検出するステップと
を具備することを特徴とする方法。
【請求項２】
前記基準信号は、前記初期動作モードごとに対応するように予め決定されている特定のパターンを有することを特徴とする請求項１記載の方法。
【請求項３】
前記初期動作モードは、ダウンリンクフレーム区間で伝送されるフレームのサブチャンネル構成方法及びチャンネル符号化方法を含むことを特徴とする請求項１記載の方法。
【請求項４】
前記サブチャンネル構成方法は、部分サブチャンネル使用方式と、全体サブチャンネル使用方式と、選択的全体サブチャンネル使用方式と、適応変調及び符号化方式とのうち少なくとも１つであることを特徴とする請求項３記載の方法。
【請求項５】
前記チャンネル符号化方法は、畳込み符号化方式、畳込みターボ符号化方式、ブロックターボ符号化方式、及びゼロテール畳込み符号化方式のうち少なくとも一つであることを特徴とする請求項３記載の方法。
【請求項６】
直交周波数分割多元接続方式を使用する無線通信システムにおける初期動作モードを検出するための方法であって、
基地局から高速フーリエ変換のサイズが１０２４である場合には、下記表１のような特定のパターンを有する基準信号を受信するステップと、
前記受信された基準信号に従って初期動作モードを検出するステップと
を具備することを特徴とする方法。
【表１】
2008503979.tif 000010
【請求項７】
前記初期動作モードは、ダウンリンクフレーム区間で伝送されるフレームのサブチャンネル構成方法及びチャンネル符号化方法を含むことを特徴とする請求項６記載の方法。
【請求項８】
前記サブチャンネル構成方法は、部分サブチャンネル使用方式と、全体サブチャンネル使用方式と、選択的全体サブチャンネル使用方式と、適応変調及び符号化方式とのうち少なくとも１つであることを特徴とする請求項７記載の方法。
【請求項９】
前記チャンネル符号化方法は、畳込み符号化方式、畳込みターボ符号化方式、ブロックターボ符号化方式、及びゼロテール畳込み符号化方式のうち少なくとも一つであることを特徴とする請求項７記載の方法。
【請求項１０】
直交周波数分割多元接続方式を使用する無線通信システムにおける初期動作モードを検出するための方法であって、
基地局から高速フーリエ変換のサイズが５１２である場合には、下記表２のような特定のパターンを有する基準信号を受信するステップと、
前記受信された基準信号に従って予め定められた初期動作モードを検出するステップと、
前記受信された基準信号に従って初期動作モードを検出するステップと
を具備することを特徴とする方法。
【表２】
2008503979.tif 000011
【請求項１１】
前記初期動作モードは、ダウンリンクフレーム区間で伝送されるフレームのサブチャンネル構成方法及びチャンネル符号化方法を含むことを特徴とする請求項１０記載の方法。
【請求項１２】
前記サブチャンネル構成方法は、部分サブチャンネル使用方式と、全体サブチャンネル使用方式と、選択的全体サブチャンネル使用方式と、適応変調及び符号化方式とのうち少なくとも１つであることを特徴とする請求項１１記載の方法。
【請求項１３】
前記チャンネル符号化方法は、畳込み符号化方式、畳込みターボ符号化方式、ブロックターボ符号化方式、及びゼロテール畳込み符号化方式のうち少なくとも一つであることを特徴とする請求項１１記載の方法。
【請求項１４】
直交周波数分割多元接続方式を使用する無線通信システムにおける初期動作モードを検出するための方法であって、
基地局から高速フーリエ変換のサイズが１２８である場合には、下記表３のような特定のパターンを有する基準信号を受信するステップと、
前記受信された基準信号に従って初期動作モードを検出するステップと
を具備することを特徴とする方法。
【表３】
2008503979.tif 000012
【請求項１５】
前記初期動作モードは、ダウンリンクフレーム区間で伝送されるフレームのサブチャンネル構成方法及びチャンネル符号化方法を含むことを特徴とする請求項１４記載の方法。
【請求項１６】
前記サブチャンネル構成方法は、部分サブチャンネル使用方式と、全体サブチャンネル使用方式と、選択的全体サブチャンネル使用方式と、適応変調及び符号化方式とのうち少なくとも１つであることを特徴とする請求項１５記載の方法。
【請求項１７】
前記チャンネル符号化方法は、畳込み符号化方式、畳込みターボ符号化方式、ブロックターボ符号化方式、及びゼロテール畳込み符号化方式のうち少なくとも一つであることを特徴とする請求項１５記載の方法。
【請求項１８】
直交周波数分割多元接続方式を使用する無線通信システムにおける同期獲得のための方法であって、
送信器は、受信器との同期獲得のために予め設定されている第１のシーケンスを生成して受信器へ伝送するステップと、
前記受信器は、前記第１のシーケンスを受信し、前記受信された第１のシーケンスと予め設定されている第２のシーケンスとを使用することによって、前記送信器との同期を獲得するステップと
を具備することを特徴とする方法。
【請求項１９】
前記第１及び第２のシーケンスは、前記受信器の高速フーリエ変換のサイズが１０２４である場合に、下記表４のようなシーケンスであることを特徴とする請求項１８記載の方法。
【表４】
2008503979.tif 000013
【請求項２０】
前記第１及び第２のシーケンスは、前記受信器の高速フーリエ変換のサイズが５１２である場合に、下記表５のようなシーケンスであることを特徴とする請求項１８記載の方法。
【表５】
2008503979.tif 000014
【請求項２１】
前記第１及び第２のシーケンスは、前記受信器の高速フーリエ変換のサイズが１２８である場合に、下記表６のようなシーケンスであることを特徴とする請求項１８記載の方法。
【表６】
2008503979.tif 000015
【請求項２２】
直交周波数分割多元接続方式を使用する無線通信システムにおける同期獲得のための送信器の動作方法であって、
送信器は、受信器との同期獲得のために予め設定されている第１のシーケンスを生成して受信器へ伝送するステップを具備することを特徴とする方法。
【請求項２３】
前記第１のシーケンスは、前記受信器の高速フーリエ変換のサイズが１０２４である場合に、下記表７のようなシーケンスであることを特徴とする請求項２２記載の方法。
【表７】
2008503979.tif 000016
【請求項２４】
前記第１のシーケンスは、前記受信器の高速フーリエ変換のサイズが５１２である場合に、下記表８のようなシーケンスであることを特徴とする請求項２２記載の方法。
【表８】
2008503979.tif 000017
【請求項２５】
前記第１のシーケンスは、前記受信器の高速フーリエ変換のサイズが１２８である場合に、下記表９のようなシーケンスであることを特徴とする請求項２２記載の方法。
【表９】
2008503979.tif 000018
【請求項２６】
直交周波数分割多元接続方式を使用する無線通信システムにおける同期獲得のための受信器の動作方法であって、
受信器は、送信器から第１のシーケンスを受信するステップと、
受信された前記第１のシーケンスと予め設定されている第２のシーケンスとを使用して、前記送信器との同期を獲得するステップと
を具備することを特徴とする方法。
【請求項２７】
前記第１及び第２のシーケンスは、前記受信器の高速フーリエ変換のサイズが１０２４である場合に、下記表１０のようなシーケンスであることを特徴とする請求項２６記載の方法。
【表１０】
2008503979.tif 000019
【請求項２８】
前記第１及び第２のシーケンスは、前記受信器の高速フーリエ変換のサイズが５１２である場合に、下記表１１のようなシーケンスであることを特徴とする請求項２６記載の方法。
【表１１】
2008503979.tif 000020
【請求項２９】
前記第１及び第２のシーケンスは、前記受信器の高速フーリエ変換のサイズが１２８である場合に、下記表１２のようなシーケンスであることを特徴とする請求項２６記載の方法。
【表１２】
2008503979.tif 000021
【発明の詳細な説明】
【技術分野】
【０００１】
本発明は、無線通信システムにおける動作モードを検出するための方法に関し、特に、直交周波数分割多元接続方式（Orthogonal Frequency Division Multiple Access；以下、‘ＯＦＤＭＡ’と称する）を使用する無線通信システムにおける初期動作モードを検出するための方法に関する。
【背景技術】
【０００２】
一般的に、無線通信システム（wireless communication system）は、無線通信サービスを支援するシステムであって、ＢＳ（Base Station；ＢＳ）とユーザ端末機（Mobile Station；ＭＳ）とから構成される。ＢＳ及びＭＳは、伝送フレーム（frame）を使用して相互に無線通信を遂行する。従って、伝送フレームを送受信するために、ＢＳ及びＭＳは、相互の同期を獲得しなければならない。上記相互の同期を獲得するために、ＢＳは、ＭＳがＢＳから伝送されたフレームの開始が認識できるように同期信号を伝送する。すると、ＭＳは、ＢＳが伝送する同期信号を受信してＢＳのフレームタイミング（frame timing）を確認し、上記確認されたフレームタイミングに従って受信されるフレームを復号する。そして、ＢＳとＭＳが予め約束している特定のプリアンブルシーケンス（preamble sequence）を上記同期信号として使用することが一般的である。
【０００３】
一方、直交周波数分割多元（Orthogonal Frequency Division Multiplexing；以下、‘ＯＦＤＭ’と称する）及びＯＦＤＭＡ方式を使用する無線通信システムで使用されるプリアンブルシーケンスは、小さなピーク対平均電力比（Peak-to-Average Power Ratio；以下、‘ＰＡＰＲ’と称する）を使用しなければならない。
【０００４】
ＯＦＤＭ及びＯＦＤＭＡ無線通信システムのプリアンブルシーケンスが小さなＰＡＰＲを使用しなければならない理由は、次の通りである。
【０００５】
まず、ＯＦＤＭ無線通信システムは、多重搬送波（multi-carrier）通信システムであって、複数の副搬送波（sub-carrier）、すなわち、副搬送波、又は、少なくとも１つの副搬送波を含むサブチャンネル（Sub-channel）を用いて高速でデータを送受信する。従って、上記副搬送波の各々の直交性が重要である。その理由によって、上記副搬送波が相互の直交性を有するように位相（phase）が設定される。それにもかかわらず、上記副搬送波を通した信号送受信の過程で上記位相が変更される場合、上記副搬送波間の信号がオーバーラップされることがある。この場合、上記位相の変更によりオーバーラップされた信号の大きさは、ＯＦＤＭ無線通信システムに備えられている増幅器（amplifier）の線形区間から外れて、これによって、信号を正常に送受信することができない。このために、ＯＦＤＭ無線通信システムは、最小のＰＡＰＲを有するプリアンブルシーケンスを使用する。
【０００６】
また、ＯＦＤＭ無線通信システムは、一つのフレームを時間的に多重化して複数のユーザ、すなわち、ＭＳへデータを伝送する。ＯＦＤＭ無線通信システムでも、フレームの開始を示すフレームプリアンブルがフレームの開始点からある区間の間に伝送される。また、一つのフレーム内に各ユーザへ伝送されるデータが不規則に伝送されることがあるので、データの開始を示すバーストプリアンブルは、各データの前段に存在する。従って、ＭＳは、上記データ伝送の開始点を判断するためには、データプリアンブルを受信しなければならない。すなわち、ＭＳは、データの受信のために、上記データ伝送の開始点に対する同期を要求する。このために、ＭＳは、信号を受信する前に、すべてのシステムで共通に使用するプリアンブルシーケンスを捕捉して同期を合わせなければならない。
【０００７】
図１は、一般的なＯＦＤＭＡ方式を使用する無線通信システムのダウンリンク（downlink）フレームの構成を示す図である。
【０００８】
図１を参照すると、まず、上記ダウンリンクフレームは、プリアンブル領域１０２と、フレーム制御ヘッダー（Frame Control Header；以下、‘ＦＣＨ’と称する）と、ダウンリンクマップ（ＤＬ-ＭＡＰ）と、アップリンクマップ（ＵＬ-ＭＡＰ）とを構成する領域１０４と、データ伝送領域１０６、１０８、１１０、及び１１２とを含む。
【０００９】
ＢＳとＭＳとの間の相互の同期を獲得するための同期信号、すなわち、プリアンブルシーケンスは、プリアンブル領域１０２を通して送信される。ＦＣＨ及びＤＬ／ＵＬ−ＭＡＰ領域１０４において、ＦＣＨは、ＤＬ／ＵＰ-ＭＡＰの位置と、次のダウンリンクフレーム区間でデータ伝送のためのサブチャンネル構成方法及びチャンネル符号化方法などに関する情報を含んでいる。従って、ＭＳは、上記ＦＣＨを復号する前には、以後の時間に伝送されるシンボルに関する情報を獲得することができない。そして、上記ＤＬ／ＵＬ-ＭＡＰ領域は、放送制御情報を含む。
【００１０】
データ伝送領域１０６、１０８、１１０、及び１１２は、一例で示されたもので、部分サブチャンネル使用（Partial Usage of Sub-channels；以下、‘ＰＵＳＣ'と称する）領域１０６と、全体サブチャンネル使用（Full Usage of Sub-Channels；以下、‘ＦＵＳＣ’と称する）領域１０８と、選択的ＦＵＳＣ領域１１０と、適応変調及び符号化（Adaptive Modulation and Coding；以下、‘ＡＭＣ’と称する）領域１１２とに区分できる。上記それぞれのデータ伝送領域１０６、１０８、１１０、及び１１２は、同一のフレーム上で時分割（Time division）によって識別されることができる。
【００１１】
以下、上記データ伝送領域について簡略に説明する。
【００１２】
一番目に、上記ＰＵＳＣ領域について説明する。
【００１３】
上記ＰＵＳＣ領域は、ＰＵＳＣ方式を使用してサブチャンネルを構成するデータバースト（data burst）領域である。言い換えれば、上記ＰＵＳＣ方式は、全体サブチャンネルのうちセクター（sector）別に一部のサブチャンネルのみを割り当てて使用する方式であって、上記ＰＵＳＣ方式を使用する場合に、周波数再使用率は、１より大きくなる。従って、隣接する２つのセルのセクターには、相互に異なるＰＵＳＣサブチャンネルを割り当ててセクター間の相互の干渉を除去できる。
【００１４】
二番目に、上記ＦＵＳＣ領域について説明する。
【００１５】
上記ＦＵＳＣ領域は、ＦＵＳＣ方式を使用してサブチャンネルを構成するデータバースト領域である。言い換えれば、上記ＦＵＳＣ方式は、すべてのセルのすべてのセクターで、全体のサブチャンネルを割り当てて使用する方式であって、上記ＦＵＳＣ方式を使用する場合に、周波数再使用率は１となる。上記ＦＵＳＣ方式において、すべてのセクターで全体のサブチャンネルを使用することが可能であるが、上記セクター間のサブチャンネルの干渉を最小化するために、各セクターごとにサブチャンネルを構成する副搬送波を異なって設定する。すなわち、上記ＦＵＳＣサブチャンネルは、サブチャンネルを構成する副搬送波が相互に衝突する確率（hit probability）を最小化させるように設計される。
【００１６】
三番目に、上記選択的ＦＵＳＣ領域について説明する。
【００１７】
上記選択的ＦＵＳＣ領域は、ＦＵＳＣ領域と類似して、ＦＵＳＣ方式を使用する。しかしながら、サブチャンネルを構成する数式がＦＵＳＣ領域のそれとは、相互に異なる。
【００１８】
最後に、上記ＡＭＣ領域について説明する。
【００１９】
上記ＡＭＣ領域は、全体の周波数帯域を特定の周波数帯域に区分して、上記区分された特定の周波数帯域別に相互に異なる変調及び符号化方式を適用して、上記ＭＳに適応的に割り当てる。
【００２０】
一方、サブチャンネル符号化方法は、次のような４つの方法がある。畳込み符号化（Convolutional Coding；以下、‘ＣＣ’と称する）方式、畳込みターボ符号化（Convolutional Turbo Coding；以下、‘ＣＴＲ’と称する）方式、ブロックターボ符号化（Block Turbo Coding；以下、‘ＢＴＣ’と称する）方式、及びゼロテール畳込み符号化（Zero Tail Convolutional Coding；以下、‘ＺＴＣＣ’と称する）方式がある。
【００２１】
上述したように、データを伝送するためには、プリアンブルを使用して、ＢＳとＭＳとの間の同期を合わせて、上記ＦＣＨ及びＤＬ／ＵＬ−ＭＡＰ領域を復号しなければならない。一つの例として、ＩＥＥＥ（Institute of Electrical and Electronics Engineers）８０２．１６通信システムでは、最初に、ＢＳとＭＳとの間の同期を合せて、ＦＣＨ及びＤＬ／ＵＬ−ＭＡＰを復号した後に、データ伝送のために、上述したデータ伝送のための動作モードのうち特定の一つの動作モードを選択するものと規定している。現在のＩＥＥＥ８０２．１６標準では、初期動作モードの決定に使用されるサブチャンネル化方法としてＰＵＳＣ方式を使用し、サブチャンネル符号化方法としてＣＣ方式を使用することを必須条件として規定している。
【００２２】
しかしながら、上述したように、初期動作モードの選択にあたって、特定の方式を使用するようにする制限要素は、システム設計や運用において非効率的な要素として作用する。これは、事業者又は開発者が特定のシステムで必須的に規定された初期方式のサブチャンネル化方法及びチャンネル符号化方法を使用できない場合などが発生することがある。このような場合には、現在の無線接続通信システムにおいて、上述した初期動作モードの制限によって、結局、不必要な資源の浪費が発生する、という問題点があった。
【００２３】
無線通信システムにおいて、初期動作モードを特定の動作モードに制限しない必要性があった。従って、上述した動作モードの制限によるシステムの開発及び運用において、一般的に、チャンネル推定（channel estimation）及び同期獲得のために、効率的な初期動作モードの決定及び検出のためのプリアンブルを設計する必要があった。
【発明の開示】
【発明が解決しようとする課題】
【００２４】
上記背景に鑑みて、本発明の目的は、ＯＦＤＭＡ無線通信システムにおいて、初期動作モードを選択的に決定して検出するための方法を提供することにある。
【課題を解決するための手段】
【００２５】
上記のような目的を達成するための本発明の第１の方法によると、ＯＦＤＭＡ方式を使用する無線通信システムにおける初期動作モードを検出するための方法は、基地局から特定のパターンを有する基準信号を受信するステップと、上記受信された基準信号に従って初期動作モードを検出するステップとを具備することを特徴とする。
【００２６】
本発明の第２の方法によると、ＯＦＤＭＡ方式を使用する無線通信システムにおける初期動作モードを検出するための方法は、基地局から高速フーリエ変換のサイズが１０２４である場合には、下記表１のような特定のパターンを有する基準信号を受信するステップと、上記受信された基準信号に従って初期動作モードを検出するステップとを具備することを特徴とする。
【００２７】
【表１】
2008503979.tif 000003
【００２８】
本発明の第３の方法によると、ＯＦＤＭＡ方式を使用する無線通信システムにおける初期動作モードを検出するための方法は、基地局から高速フーリエ変換のサイズが５１２である場合には、下記表２のような特定のパターンを有する基準信号を受信するステップと、上記受信された基準信号に従って予め定められた初期動作モードを検出するステップと、上記受信された基準信号に従って初期動作モードを検出するステップと、を具備することを特徴とする。
【００２９】
【表２】
2008503979.tif 000004
【００３０】
本発明の第４の方法によると、ＯＦＤＭＡ方式を使用する無線通信システムにおける初期動作モードを検出するための方法は、基地局から高速フーリエ変換のサイズが１２８である場合には、下記表３のような特定のパターンを有する基準信号を受信するステップと、上記受信された基準信号に従って初期動作モードを検出するステップとを具備することを特徴とする。
【００３１】
【表３】
2008503979.tif 000005
【発明の効果】
【００３２】
本発明の実施形態によると、初期動作モードを選択的に決定できるように新たなプリアンブルシーケンスを提案することによって、ＭＳが上記プリアンブルシーケンスの検出によって選択的に初期動作モードを決定できる。従って、本発明のプリアンブルシーケンスは、初期動作モードを固定的に運用することなく、流動的に運用するシステムに適用されることができる、という利点がある。
【発明を実施するための最良の形態】
【００３３】
以下、本発明の好適な実施形態について添付図を参照しつつ詳細に説明する。なお、図面中、同一な構成要素及び部分には、可能な限り同一な符号及び番号を共通使用するものとする。下記説明において、本発明の要旨のみを明瞭するために公知の機能又は構成に対する詳細な説明は省略する。
【００３４】
本発明は、直交周波数分割多元接続（Orthogonal Frequency Division Multiple Access；以下、‘ＯＦＤＭＡ’と称する）方式を使用する無線通信システムにおいて、ＢＳとＭＳとの間の初期動作モードを選択的に決定して検出するための方法を提案する。このために、本発明では、ダウンリンク（downlink）フレーム構成でプリアンブル（preamble）領域のプリアンブルを新たに提案する。上記新たに提案されたプリアンブルの各々に対応する動作モードを初期動作モードとして決定できる。ここで、上記初期動作モードとは、ＭＳがＢＳと最初に同期を獲得した後の所定のダウンリンクフレーム区間の間に使用されるデータ伝送方式又はサブチャンネル符号化方式を意味する。例えば、第１のプリアンブルを受信したＭＳは、部分サブチャンネル使用（ＰＵＳＣ）方式にて初期動作モードを運用することができ、第２のプリアンブルを受信したＭＳは、全体サブチャンネル使用（ＦＵＳＣ）方式にて初期動作モードを運用することができる。また、第３のプリアンブルを受信したＭＳは、選択的ＦＵＳＣ方式にて初期動作モードを運用することができ、第４のプリアンブルを受信したＭＳは、適応変調及び符号化（ＡＭＣ）方式にて初期動作モードを運用することができる。
【００３５】
一方、本発明で新たに提案されたプリアンブルによって、データ伝送方式を含む初期動作モードを決定して検出することもあり、チャンネル符号化方式を含む初期動作モードを決定して検出することもある。上記データ伝送方式及び上記チャンネル符号化方式の両方を含む初期動作モードを決定して検出することもある。すなわち、４つのデータ伝送モード及び４つのチャンネル符号化器が初期動作モードに存在する場合を例に挙げると、データ伝送モード及びチャンネル符号化器の可能な組合せの個数は１６となる。従って、第１乃至第１６のプリアンブルを生成することによって、これをダウンリンクフレームのプリアンブルとして使用すると、ＢＳとＭＳとの間に予め約束された規定によってデータ伝送モードの決定及びチャンネル符号化を遂行することができる。
【００３６】
図２は、本発明の好ましい実施形態によるＯＦＤＭＡ方式を使用する無線通信システムのダウンリンクフレーム構成を概略的に示す図である。
【００３７】
図２を参照すると、まず、上記ダウンリンクフレームの構成は、図１に示した一般的なダウンリンクフレームの構成とほぼ同一である。しかしながら、プリアンブル領域２０２に含まれるプリアンブルが既存のプリアンブルと異なるという差と、ＦＣＨ及びＤＬ／ＵＬ-ＭＡＰ領域２０４が本発明によるプリアンブルを用いて情報を検出するという差とを有する。すなわち、既存のプリアンブルが同期獲得、オフセット推定、及びチャンネル推定のために使用されるとしても、本発明で新たに提案されたプリアンブルは、上記同期獲得、上記オフセット推定、及び上記チャンネル推定のために使用されるだけではなく、データ伝送方式又はチャンネル符号化方式を選択的に決定して検出できるようにする。従って、ＢＳが特定のプリアンブルパターンを上記プリアンブル領域に含んでダウンリンクフレームをＭＳへ伝送すると、ＭＳは、データ伝送方式のうち１つ、又は、チャンネル符号化方式のうち一つを上記特定のプリアンブルパターンに対応して選択する。
【００３８】
すると、本発明で新たに提案されるプリアンブルを下記表４乃至表７を参照して説明する。
【００３９】
説明に先立って、下記表２及び表７に示すプリアンブルは、初期動作モードが４つであると仮定して設計されたもので、初期動作モード別に相互に異なるプリアンブルを示す。このように初期動作モード別に決定されたプリアンブルシーケンスを使用して初期動作モードを区分する。又は、一つのプリアンブルシーケンスを基準として循環シフト（cyclic shift）方式で相互に異なるプリアンブルシーケンスを生成して、各々の初期動作モードを区分する。まず、各々の初期動作モードに従って相互に異なって設定されたプリアンブルシーケンスを下記表４乃至表７を参照して説明する。下記では、説明の便宜上、サブチャンネル符号化方式を除外したデータ伝送方式を決定する初期動作モードについて説明する。
【００４０】
【表４】
2008503979.tif 000006
【００４１】
表４は、高速フーリエ変換（Fast Fourier Transform；以下、‘ＦＦＴ’と称する）のサイズによるシーケンス長を示す。
【００４２】
【表５】
2008503979.tif 000007
【００４３】
表５は、表４のＦＦＴのサイズ別に相互に異なる４つのプリアンブルシーケンスと、上記各プリアンブルシーケンスのピーク対平均電力比（ＰＡＰＲ:Peak to Average Power Ratio；以下'ＰＡＰＲ'と称する）サイズを示す。
【００４４】
【表６】
2008503979.tif 000008
【００４５】
表６は、表４及び表５に示されたプリアンブルシーケンス長及び相互に異なるプリアンブルシーケンスを使用する場合のプリアンブルシーケンス長を示す。
【００４６】
【表７】
2008503979.tif 000009
【００４７】
表７は、表６のＦＦＴのサイズ別に相互に異なる４つのプリアンブルシーケンスと、上記プリアンブルシーケンスの各々のＰＡＰＲサイズを示す。
【００４８】
表４又は表７に示すプリアンブルシーケンスが初期動作モードのうちデータ伝送方式を決定すると、上記データ伝送方式は、各々のプリアンブルシーケンスに対応させればよい。例えば、ＰＵＳＣ方式を意味する初期動作モードは、シーケンス番号０に該当し、ＦＵＳＣ方式を意味する初期動作モードは、シーケンス番号１に該当し、選択的ＦＵＳＣ方式を意味する初期動作モードは、シーケンス番号２に該当し、ＡＭＣ方式を意味する初期動作モードは、シーケンス番号３に該当する。従って、ＭＳが上記特定のシーケンス番号に対応するプリアンブルを検出すると、それによる初期動作モードを決定する。
【００４９】
上記では、初期動作モードを区分するために、各々の初期動作モードに従って相互に異なるプリアンブルシーケンスを生成する。以下では、一つの基準プリアンブルシーケンスを生成し、上記基準プリアンブルシーケンスの逆高速フーリエ変換（Inverse Fast Fourier Transform；以下、ＩＦＦＴと称する）を遂行して、時間領域で循環シフトして他のプリアンブルシーケンスを生成する方案について説明する。
【００５０】
まず、基準プリアンブルシーケンスは、ＦＦＴサイズ及びシーケンス長に対応して予め決定されて生成され、他のプリアンブルシーケンスは、上記生成された基準プリアンブルシーケンスを初期動作モードに従って相互に異なって循環シフトさせることによって生成される。このようにして、各々の初期動作モードに従うプリアンブルシーケンスが生成される。ここで、上記生成されたプリアンブルシーケンスが上記初期動作モードのデータ伝送モード、すなわち、ＰＵＳＣ、ＦＵＳＣ、選択的ＦＵＳＣ、及びＡＭＣ方式のデータ伝送モードの区分のためのものであると仮定する。すると、上記生成された基準プリアンブルシーケンスは、ＰＵＳＣ方式を意味する第１のプリアンブルシーケンスとして使用されることができる。また、上記第１のプリアンブルシーケンスを時間領域でＦＦＴサイズの１／４だけ循環シフトさせることによって生成されるプリアンブルシーケンスは、ＦＵＳＣ方式を意味する第２のプリアンブルシーケンスとして使用されることができる。また、上記第１のプリアンブルシーケンスを時間領域でＦＦＴサイズの２／４だけ循環シフトさせることによって生成されるプリアンブルシーケンスは、選択的ＦＵＳＣ方式を意味する第３のプリアンブルシーケンスとして使用されることができる。同一の方法にて、上記第１のプリアンブルシーケンスを時間領域でＦＦＴサイズの３／４だけ循環シフトさせることによって生成されるプリアンブルシーケンスは、ＡＭＣ方式を意味する第４のプリアンブルシーケンスとして使用されることができる。
【００５１】
一方、初期動作モードを選択的に決定できない無線通信システムは、上記ＦＦＴサイズ及びシーケンス長に対応する一つのプリアンブルシーケンスのみを予め決定して、ダウンリンクデータフレームのプリアンブルとして使用することができる。
【００５２】
ＭＳが特定のプリアンブルシーケンスを検出する方法は、時間領域で自己相関（auto-correlation）技術を適用することもでき、周波数領域で自己相関技術を適用することもできる。
【００５３】
図３は、本発明の好ましい実施形態によるＯＦＤＭＡ方式を使用する無線通信システムのＭＳが遂行する初期動作モードの検出によるデータ復号及び伝送手順を示すフローチャートである。
【００５４】
図３を参照すると、ステップＳ３０２で、ＭＳは、ＢＳから表５又は表７の特定のプリアンブルシーケンス番号に該当するプリアンブルを受信した後に、ステップＳ３０４で、ＭＳは、上記受信された特定のプリアンブルを使用して初期動作モードを検出する。すると、ステップＳ３０６で、ＭＳは、検出された初期動作モードに従って、フレーム制御ヘッダー（Frame Control Header；以下、‘ＦＣＨ’と称する）を復調して復号化して、システム関連情報を抽出する。ステップＳ３０８で、ＭＳは、ＤＬ／ＵＬ-ＭＡＰに割り当てられた放送情報及びデータフレーム関連情報を抽出した後に、ステップ３０１へ進行する。ステップＳ３１０で、ＭＳは、ダウンリンクフレーム区間の間にＢＳから受信されたダウンリンクデータを復号するか、又はアップリンクフレーム区間の間にＢＳへデータを伝送する。
【００５５】
なお、本発明の詳細な説明においては、具体的な実施の形態について説明したが、本発明の範囲から逸脱しない範囲内であれば、種々な変形が可能であることは言うまでもない。よって、本発明の範囲は、上述した実施の形態に限定されるものではなく、特許請求の範囲とその均等物によって定められるべきである。
【図面の簡単な説明】
【００５６】
【図１】一般的なＯＦＤＭＡ方式を使用する無線通信システムにおけるダウンリンクフレームの構成を示す図である。
【図２】本発明の好ましい実施形態によるＯＦＤＭＡ方式を使用する無線通信システムのダウンリンクフレームの構成を概略的に示す図である。
【図３】本発明の好ましい実施形態によるＯＦＤＭＡ方式を使用する無線通信システムのＭＳが遂行する初期動作モードの検出によるデータ復号及び伝送手順を示すフローチャートである。
【符号の説明】
【００５７】
２０２  プリアンブル領域
２０４  ＦＣＨ及びＤＬ／ＵＬ-ＭＡＰ領域
【図１】
2008503979.tif 000022
【図２】
2008503979.tif 000023
【図３】
2008503979.tif 000024
【国際調査報告】
2008503979.tif 000025